(57)【要約】【課題】住宅設備の取付強度の向上を図ることを可能とする住宅設備取付構造を提供すること。【解決手段】洗面台１０の洗面台本体１１の左右側面としての左側板１１１ａおよび右側板１１１ｂと、壁面としての左側壁２２および右側壁２３との間に、枠体３１を有する洗面台取付用部材３０が設けられ、洗面台取付用部材３０が左側壁２２および右側壁２３に取り付けられ、洗面台１０が、枠体３１に取り付けられていることを特徴とする住宅設備取付構造とした。【選択図】図１
2018047077.tif 000002
【特許請求の範囲】
【請求項１】
住宅設備の側面と壁面との間に、枠体を有する住宅設備取付用部材が設けられ、
前記住宅設備取付用部材が前記壁面に取り付けられ、
前記住宅設備が、前記枠体に取り付けられていることを特徴とする住宅設備取付構造。
【請求項２】
請求項１に記載の住宅設備取付構造において、
前記枠体は、矩形状の枠を形成する４方枠部を備え、
前記住宅設備取付用部材は、前記枠体の枠内を塞いで設けられた固定用面材を備え、
前記固定用面材が、前記壁面に取り付けられていることを特徴とする住宅設備取付構造。
【請求項３】
請求項２に記載の住宅設備取付構造において、
前記枠体は、前記４方枠部の対向する一対の縦枠を連結して設けられた固定用枠部を備え、前記固定用枠部に前記住宅設備が取り付けられていることを特徴とする住宅設備取付構造。
【請求項４】
請求項１〜３のいずれか１項に記載の住宅設備取付構造において、
前記枠体と前記住宅設備との間に、板状のスペーサが介在されていることを特徴とする住宅設備取付構造。
【請求項５】
請求項１〜４のいずれか１項に記載の住宅設備取付構造において、
前記枠体の表面に化粧下地材を有することを特徴とする住宅設備取付構造。
【請求項６】
請求項１〜５のいずれか１項に記載の住宅設備取付構造において、
前記枠体の表面に化粧材を有することを特徴とする住宅設備取付構造。
【請求項７】
請求項１〜６のいずれか１項に記載の住宅設備取付構造において、
前記住宅設備の設置箇所は、前記住宅設備の背面に位置する背面壁と、前記住宅設備の側方に対向する一対の側壁とに囲まれ、
前記住宅設備取付用部材は、前記側壁の少なくとも一方と前記住宅設備との間に設けられていることを特徴とする住宅設備取付構造。
【請求項８】
矩形状の４方枠部を備えた枠体と、
前記４方枠部の枠内を塞いで設けられた固定用面材と、
前記枠体に含まれ、前記４方枠部の対向する一対の縦枠を連結して設けられた固定用枠部と、
前記枠体の表面を覆って設けられた化粧材と、
を備えることを特徴とする住宅設備取付用部材。
【請求項９】
既設の壁の壁面に、枠体を有する住宅設備取付用部材を取り付ける工程と、
前記住宅設備取付用部材の前記枠体に、住宅設備を取り付ける工程と、
前記住宅設備取付用部材の表面に、化粧材を取り付ける工程と、
を備えることを特徴とする住宅設備設置方法。
【請求項１０】
請求項９に記載の住宅設備設置方法において
前記住宅設備取付用部材を取り付ける工程では、矩形状の４方枠部の枠内を塞いで設けられた固定用面材を、前記壁内の既設の木桟に取り付け、
前記住宅設備を取り付ける工程では、前記住宅設備を、前記４方枠部の対向する一対の縦枠を連結して設けられた固定用枠部に取り付けることを特徴とする住宅設備設置方法。
【請求項１１】
請求項９または請求項１０に記載の住宅設備設置方法において、
前記住宅設備取付用部材を前記壁面に取り付ける位置の壁内に木桟が存在しない場合に固定用木桟を設置する工程を備え、
この固定用木桟を設置する工程では、前記既設の壁から表面材を切り離して、前記壁面に開口を形成する工程と、前記開口から前記壁内に固定用木桟を設置する工程と、前記表面材を、前記固定用木桟に取り付けて前記開口を表面材で塞ぐ工程と、を実行し、
前記住宅設備取付用部材を前記壁面に取り付ける工程では、前記住宅設備取付用部材を、前記固定用木桟に固定することを特徴とする住宅設備設置方法。
【発明の詳細な説明】
【技術分野】
【０００１】
本開示は、住宅設備取付構造、住宅設備取付用部材および住宅設備設置方法に関するものである。
【背景技術】
【０００２】
従来、住宅設備としての洗面台を壁に取り付ける構造として、洗面台の背面側の壁にボードを取り付け、このボードに洗面台を取り付けた構造が知られている（例えば、特許文献１〜３参照）。
このような構造では、特に、リフォーム時に、既設の壁の芯材とは異なる位置で、洗面台を固定するのに有効である。
【先行技術文献】
【特許文献】
【０００３】
【特許文献１】特開２００２−３４８９９６号公報
【特許文献２】特開２００３−１７６６１３号公報
【特許文献３】特開２００６−２６３３８０号公報
【発明の概要】
【発明が解決しようとする課題】
【０００４】
しかしながら、上述の従来技術のように、洗面台を背面側のみで壁面に取り付けた構造では、十分な取付強度を得ることが難しい。特に、洗面台の側面を既設の壁から離れた位置に設置する場合に、必要な取付強度を得ることが難しい。
【０００５】
本開示は、上述の従来の問題に着目して成されたもので、洗面台などの住宅設備の取付強度の向上を図ることを可能とする住宅設備取付構造、住宅設備取付用部材および住宅設備設置方法を提供することを目的としている。
【課題を解決するための手段】
【０００６】
前記目的を達成するために、本開示の住宅設備取付構造は、
住宅設備の側面と壁面との間に、枠体を有する洗面台取付用部材が設けられ、
前記洗面台取付用部材が前記壁面に取り付けられ、
前記住宅設備が、前記枠体に取り付けられていることを特徴とする。
【０００７】
なお、前記枠体は、矩形状の枠を形成する４方枠部を備え、前記住宅設備取付用部材は、前記枠体の枠内を塞いで設けられた固定用面材を備え、前記固定用面材が、前記壁面に取り付けられている住宅設備取付構造としてもよい。
また、前記枠体は、前記４方枠部の対向する一対の縦枠を連結して設けられた固定用枠部を備え、前記固定用枠部に前記住宅設備が取り付けられている住宅設備取付構造としてもよい。
さらに、前記枠体と前記住宅設備との間に、板状のスペーサが介在されている住宅設備取付構造としてもよい。
そして、前記枠体の表面に化粧下地材を有する住宅設備取付構造としてもよい。
また、前記枠体の表面に化粧材を有する住宅設備取付構造としてもよい。
さらに、前記住宅設備の設置箇所は、前記住宅設備の背面に位置する背面壁と、前記住宅設備の側方に対向する一対の側壁とに囲まれ、前記住宅設備取付用部材は、前記側壁の少なくとも一方と前記住宅設備との間に設けられている住宅設備取付構造としてもよい。
【０００８】
また、本開示の住宅設備取付用部材は、
矩形状の４方枠部を備えた枠体と、
前記４方枠部の枠内を塞いで設けられた固定用面材と、
前記枠体に含まれ、前記４方枠部の対向する一対の縦枠を連結して設けられた固定用枠部と、
前記枠体の表面を覆って設けられた化粧材と、
を備えることを特徴とする。
【０００９】
また、本開示の住宅設備設置方法は、
既設の壁の壁面に、枠体を有する住宅設備取付用部材を取り付ける工程と、
前記住宅設備取付用部材の前記枠体に、住宅設備を取り付ける工程と、
前記住宅設備取付用部材の表面に、化粧材を取り付ける工程と、
を備えることを特徴とする。
【００１０】
なお、前記住宅設備取付用部材を取り付ける工程では、矩形状の４方枠部の枠内を塞いで設けられた固定用面材を、前記壁内の既設の木桟に取り付け、前記住宅設備を取り付ける工程では、前記住宅設備を、前記４方枠部の対向する一対の縦枠を連結して設けられた固定用枠部に取り付ける住宅設備設置方法としてもよい。
また、前記住宅設備取付用部材を前記壁面に取り付ける位置の壁内に木桟が存在しない場合に固定用木桟を設置する工程を備え、この固定用木桟を設置する工程では、前記既設の壁から表面材を切り離して、前記壁面に開口を形成する工程と、前記開口から前記壁内に固定用木桟を設置する工程と、前記表面材を、前記固定用木桟に取り付けて前記開口を表面材で塞ぐ工程と、を実行し、前記住宅設備取付用部材を前記壁面に取り付ける工程では、前記住宅設備取付用部材を、前記固定用木桟に固定する住宅設備設置方法としてもよい。
【発明の効果】
【００１１】
本開示では、住宅設備の側面が、住宅設備取付用部材を介して壁面に取り付けられる。
したがって、住宅設備の側面を壁面に取り付けないものと比較して、住宅設備の取付強度が向上する。また、住宅設備は、住宅設備取付用部材に取り付けるため、既設の壁を加工することなく住宅設備の取付が可能であり、リフォームに用いるのに有効である。
【００１２】
さらに、住宅設備取付用部材の固定用面材を壁面に取り付けるものでは、壁面の木桟などの構造材の位置に合わせて固定用面材を壁面に固定可能である。よって、壁面側に、住宅設備取付用部材を取り付けるための構造材などの追加が不要であり、既設の壁を加工することなく、住宅設備取付用部材の取付が可能であり、作業性に優れる。加えて、固定用面材により枠体の枠内を塞いで設けることにより、枠体の剛性を向上でき、これにより、住宅設備の取付強度も向上できる。
また、枠体が固定用枠部を備えたものでは、住宅設備の取付位置に固定用枠部を設けることにより、住宅設備の取付作業が容易であるとともに、取付強度を確保できる。さらに、固定用枠部が、４方枠部の一対の縦枠を連結することにより、住宅設備取付用部材の剛性を向上でき、これにより、住宅設備の取付強度も向上できる。
枠体と住宅設備との間に、板状のスペーサが介在されたものでは、スペーサにより住宅設備の位置を規制することで、枠体と住宅設備との間に隙間を有していても、設置姿勢の安定化が可能である。
枠体の表面に化粧下地材を有するものでは、住宅設備取付用部材の設置後に、化粧下地材の上に、住宅設備や壁面に応じて化粧材を任意に設定することができる。したがって、汎用性に優れるとともに、意匠性にも優れる。
枠体の表面に化粧材を有するものでは、住宅設備取付用部材の意匠性を高めることができる。
背面壁と一対の側壁とに囲まれた位置に住宅設備を設置するものでは、住宅設備の側面と、側壁との間に住宅設備取付用部材を介在させて、住宅設備を取り付けるため、住宅設備の取付強度を確実に確保することができる。また、両側壁と住宅設備の両側面との間に住宅設備取付用部材を介在した場合は、住宅設備の取付強度をさらに確保することができる。
【００１３】
本開示の住宅設備取付用部材は、４方枠部を備えるため、住宅設備取付用部材の剛性を確保できる。また、４方枠部の枠内を塞いで固定用面材を備えるため、壁面の木桟などの構造材の位置に合わせて固定用面材を壁面に固定可能であり、作業性に優れるとともに、固定用面材により、枠体の剛性を向上できる。しかも、４方枠部の縦枠を連結して固定用枠部を備えるため、住宅設備取付用部材の剛性をさらに向上可能である。さらに、化粧材を備えるため、住宅設備取付用部材の意匠性を向上可能である。
【００１４】
本開示の住宅設備設置方法では、住宅設備の側面を、住宅設備取付用部材を介して壁面に取り付けるため、住宅設備の側面を壁面に取り付けないものと比較して、住宅設備の取付強度が向上する。さらに、既設の壁に住宅設備取付用部材を介して住宅設備を取り付けるため、既設の壁の加工が不要であり、リフォームに有効である。
さらに、住宅設備取付用部材の固定用面材を壁内の既設の木桟に取り付ける方法では、壁側の加工を不要とすることができ、作業性に優れ、リフォームに適用するのに有効である。また、住宅設備を住宅設備取付用部材の固定用枠部に取り付ける方法では、住宅設備の取り付け位置が、壁の既設の木桟などの位置に規制されることが無いため、作業性に優れ、リフォームに適用するのによりいっそう有効である。
また、壁に開口を形成して壁内に固定用木桟を設置し、これに住宅設備取付用部材を取り付ける方法では、壁内に木桟が無い場合でも、住宅設備取付用部材を強固に取り付け可能であり、これにより住宅設備の取付強度も確保することができる。
【図面の簡単な説明】
【００１５】
【図１】実施の形態１の住宅設備取付構造を示す分解斜視図である。
【図２】実施の形態１の住宅設備取付構造を示す縦断面図である。
【図３】実施の形態１の住宅設備取付構造を示す横断面図である。
【図４Ａ】実施の形態１の住宅設備取付構造に適用した住宅設備取付用部材の住宅設備に固定する側を示す斜視図である。
【図４Ｂ】実施の形態１の住宅設備取付構造に適用した住宅設備取付用部材の側壁に固定する側を示す斜視図である。
【図５Ａ】実施の形態１の住宅設備取付構造を適用する右側壁に横木桟に代わる芯材を右側壁内に設置した状態を示す斜視図である。
【図５Ｂ】前記芯材を示す分解斜視図である。
【図６】実施の形態２の住宅設備取付構造を示す縦断面図である。
【図７】実施の形態２の住宅設備取付構造を示す横断面図である。
【図８Ａ】実施の形態２の住宅設備取付構造に適用した住宅設備取付用部材を右側壁に取り付けた状態を示す斜視図である。
【図８Ｂ】実施の形態２の住宅設備取付構造に適用した隙間充填部材を左側壁に取り付けた状態を示す斜視図である。
【発明を実施するための形態】
【００１６】
以下、本開示の実施の形態について図面を参照して説明する。
（実施の形態１）
まず、実施の形態１の住宅設備取付構造および住宅設備取付用部材の構成を説明する。
図１は、実施の形態１の住宅設備取付構造を示す分解斜視図である。
実施の形態１は、住宅設備として図１に示す洗面台１０を用いた例であり、この洗面台１０は、既設の壁２０に取り付けられる。すなわち、実施の形態１の住宅設備取付構造は、既設の建物（図示省略）のリフォームに際し、既設の壁２０に、新規に洗面台１０を設置するのに適用した例を示す。
【００１７】
既設の壁２０は、洗面台１０の背面に位置する背面壁２１と、その左右に位置し洗面台１０の側面に位置する左側壁２２および右側壁２３と、を有する。そして、本実施の形態１では、背面壁２１には、既設の窓２１ａを有する。また、床２４には、配管２５が設けられている。したがって、本実施の形態１では、洗面台１０を、背面および左右の三方向を背面壁２１、左側壁２２、右側壁２３に囲まれた部位に設置する。
【００１８】
なお、図１において、背面壁２１を正面に見て左側の矢印Ｌの方向を洗面台１０の左方向と称し、右側の矢印Ｒの方向を洗面台１０の右方向と称する。また、矢印ＵＰの方向を洗面台１０の上方向と称し、矢印ＤＮの方向を洗面台１０の下方向と称し、矢印ＦＲの方向を前方と称する。また、矢印ＦＲの反対方向を背面方向あるいは後方と称する。
【００１９】
左側壁２２、右側壁２３は、それぞれ、図２、図３に示すように、合板や石膏ボードなどの一対のパネル材２２ａ，２２ａ、２３ａ，２３ａを有する。また、パネル材２２ａ，２２ａ、２３ａ，２３ａは、上下方向に立設された間柱２２ｂ，２３ｂおよび水平方向に延在された横木桟２２ｃ，２３ｃに支持されている。
【００２０】
洗面台１０は、洗面台本体１１とミラー１２とを有する。
洗面台本体１１は、キャビネット１１１と、キャビネット１１１の上部を覆うカウンタ１１２と、を備える。
【００２１】
キャビネット１１１は、図３の断面図に示すように、左側板１１１ａ、右側板１１１ｂ、背板１１１ｃとにより、水平方向の断面がコの字状に形成されて、これらに囲まれた収納部１３を有する。この収納部１３には、収納部１３を開閉する蓋、あるいは、引き出しが設けられている。
【００２２】
また、図２に示すように、キャビネット１１１の底部は、底板１１１ｄで塞がれている。この底板１１１ｄの左右方向両端部は、図示のように、左右側板１１１ａ，１１１ｂの下端部に結合され、また図示は省略するが、背板１１１ｃの下端部にも結合されている。
【００２３】
カウンタ１１２は、上面に洗面器１１２ａを備え、背面方向の端部にバックガード部１１２ｂが立ち上げられている（図１参照）。
また、ミラー１２は、図１に示すように、洗面台本体１１の上方に間隔を空けて配置されて背面壁２１に取り付けられる。なお、ミラー１２は、裏側に収納部を備えるが、詳細な説明は省略する。
【００２４】
洗面台本体１１の左右両側に、洗面台取付用部材３０（ａ），３０（ｂ）が設置される。なお、洗面台取付用部材３０（ａ），３０（ｂ）は、同様の構成であり、説明上で両者を区別せずに表現する場合には、その符号は、単に「３０」と表記する。
【００２５】
洗面台取付用部材３０は、図１および図４Ａに示すように、枠体３１と固定用面材３２とを備える。また、枠体３１は、４方枠部３３と固定用枠部３４とを備える。
４方枠部３３は、一対の上下方向に延在された長板状の縦枠３３ａ，３３ａと、一対の水平方向に延在された長板状の横枠３３ｂ，３３ｂとの長手方向両端部を、スクリュウ釘３５ａや木螺子などの締結部材により結合されて、略長方形の枠状に形成されている。
【００２６】
固定用枠部３４は、１枚の長板状の部材により形成され、上下方向で横枠３３ｂ、３３ｂの間の位置で水平方向に延在され、長手方向の両端部を縦枠３３ａ，３３ａにスクリュウ釘３５ａにより固定されている。なお、４方枠部３３を構成する縦枠３３ａ、横枠３３ｂおよび固定用枠部３４は、スクリュウ釘３５ａや後述する皿木ネジ３５ｂやキャップ付きビス３８などが結合されるため、この結合が可能な厚み（例えば、３０ｍｍ以上の厚み）を有している。
【００２７】
固定用面材３２は、図４Ｂに示すように、その外周端縁が４方枠部３３の外周端縁に一致する大きさの長方形形状に形成された合板などの板材により形成されている。そして、固定用面材３２は、皿木ネジ３５ｂによりその周縁部が複数箇所で枠体３１の４方枠部３３に固定され、かつ、中間部が固定用枠部３４に複数箇所が固定されている。
【００２８】
そして、洗面台取付用部材３０（ａ），３０（ｂ）は、それぞれ、図２に示すように、固定用面材３２が、左右両側壁２２，２３の横木桟２２ｃ，２３ｃに皿木ネジ３６により固定されている。さらに、洗面台取付用部材３０（ａ），３０（ｂ）は、床２４に接する横枠３３ｂが、皿木ネジ３７により床２４に固定されている。
【００２９】
前述した洗面台本体１１のキャビネット１１１は、背面が背面壁２１に取り付けられ、左右側部が洗面台取付用部材３０に取り付けられている。
その取付構造を説明すると、図３に示すように、キャビネット１１１の背板１１１ｃが、背面壁２１に、キャップ付きビス３９により複数箇所（図２参照）で固定されている。
【００３０】
また、図２に示すように、キャビネット１１１の左側板１１１ａおよび右側板１１１ｂが、洗面台取付用部材３０（ａ），３０（ｂ）の固定用枠部３４にキャップ付きビス３８により固定されている。なお、左側板１１１ａおよび右側板１１１ｂの固定用枠部３４への固定は、図３に示すように、前後方向で複数箇所が固定されている。
【００３１】
さらに、このキャップ付きビス３８の締結位置において、右側板１１１ｂと、固定用枠部３４との間には、スペーサ４０が介在されている。このスペーサ４０は、右側板１１１ｂと固定用枠部３４との間に形成される隙間に応じて、厚さが１〜数ｍｍ程度の薄い矩形の板材により形成されている。
【００３２】
すなわち、洗面台本体１１を洗面台取付用部材３０（ａ），３０（ｂ）の間に挿入する作業を円滑に行うために、洗面台取付用部材３０（ａ），３０（ｂ）の間隔よりも、洗面台本体１１の左右方向の幅寸法の方が小さく設定されており、上記隙間が形成される。また、スペーサ４０の上下方向の寸法は、図３に示すように、洗面台本体１１の上端から、固定用枠部３４の位置に達するまでの寸法を有する。洗面台本体１１と洗面台取付用部材３０（ｂ）との間にスペーサ４０を介在させることにより、両者の間に隙間を有していても、キャップ付きビス３８を締結した際に洗面台本体１１が歪むことなく安定した姿勢で取り付けることができる。
【００３３】
さらに、洗面台取付用部材３０の上面には、カウンタ材（化粧材）５１が取り付けられている。このカウンタ材５１は、洗面台取付用部材３０の上面全体を覆う大きさに形成されているとともに、表面に化粧面を有する。なお、このカウンタ材５１の化粧面は、カウンタ１１２と同様の素材や、両側壁２２，２３の表面材と同様の素材を用いて連続性を与えてもよいし、これらとは異なる素材により形成してもよい。
【００３４】
加えて、洗面台取付用部材３０の前面には、化粧下地材５２が取り付けられている。この化粧下地材５２は、洗面台取付用部材３０の前面を覆う大きさの矩形の板材である。そして、化粧下地材５２の前面がクロス（布製、樹脂製、塩ビシート製など）などの化粧材（図示省略）により覆われている。なお、左側壁２２および右側壁２３の下端部には、図３に示すように、幅木２４ａが設けられている。
【００３５】
（実施の形態１の洗面台（住宅設備）設置方法）
以下に、実施の形態１の住宅設備設置構造および洗面台取付用部材３０を適用した住宅設備設置方法について説明する。なお、この実施の形態１の住宅設備設置方法として、住宅のリフォーム時に、壁２０に洗面台１０を設置する場合を例に挙げて、順を追って説明する。
【００３６】
（横木桟確認工程）
まず、洗面台１０を取り付ける左側壁２２および右側壁２３の所望の高さに、図２に示す横木桟２２ｃ，２３ｃが存在するか否か確認する横木桟確認工程を実行する。この確認は、設計図面や各側壁２２，２３の打音、ピン刺しなどにより行うことができる。
【００３７】
ここで、所望の高さの横木桟２２ｃ，２３ｃとは、図２に示す横木桟２２ｃ，２３ｃの高さのことを言う。すなわち、本実施の形態１において示した左側壁２２および右側壁２３には、図２に示すように横木桟２２ｃ，２３ｃが存在する。この場合は、次の洗面台取付用部材３０の取付工程へ進む。
【００３８】
次に、横木桟２２ｃ，２３ｃが存在しない場合の作業について、右側壁２３の横木桟２３ｃが存在しない場合を例に挙げて説明する。
この場合、右側壁２３の内部に、横木桟２３ｃに代わる固定用木桟６０（図５Ａ参照）を設ける。
【００３９】
そのため、まず、図５Ａに示すように、右側壁２３のパネル材２３ａの一部２３ｄを切断し取り外す。この場合、パネル材２３ａ、既設の横木桟２３ｅの下端位置および間柱２３ｂ、２３ｂの位置で切断する。次に、開放された右側壁２３の内部空間２３ｆに固定用木桟６０を設置する。
【００４０】
この固定用木桟６０は、図５Ｂに示すように、一対の縦枠材６０ａ，６０ａの上端部どうしに横枠材６０ｂを掛け渡し、木ネジ６０ｃにより結合した、略コの字状の第１木桟部材６１および第２木桟部材６２を上下に重ねて形成されている。なお、第１木桟部材６１の縦枠材６０ａの寸法は、これに結合する横枠材６０ｂが、上述の所望の横木桟２３ｃの高さに配置されるように設定する。また、横枠材６０ｂの長さは、これに結合された縦枠材６０ａ．６０ａが間柱２３ｂ，２３ｂに接するように設定する。さらに、第２木桟部材６２の縦枠材６０ａの寸法は、横枠材６０ｂが既設の横木桟２３ｅに接するように設定する。
【００４１】
そして、上述のように構成した固定用木桟６０を内部空間２３ｆに設置した後、スクリュウ釘６０ｇにより縦枠材６０ａを間柱２３ｂ，２３ｂに固定する。
次に、切断したパネル材２３ａの一部２３ｄを、スクリュウ釘６０ｇにより固定用木桟６０に固定する。
【００４２】
（洗面台取付用部材の取付工程）
次に、左側壁２２および右側壁２３に洗面台取付用部材３０（ａ），３０（ｂ）を取り付ける工程を実行する。
この工程では、図２に示すように、洗面台取付用部材３０（ａ），３０（ｂ）の固定用面材３２に、水平方向で横木桟２２ｃ，２３ｃと重なる位置から、皿木ネジ３６を横木桟２２ｃ，２３ｃに向けて貫通して締結する。さらに、洗面台取付用部材３０（ａ），３０（ｂ）の下側の横枠３３ｂに対し、上方から床２４に向けて皿木ネジ３７を貫通させて締結する。
これにより、洗面台取付用部材３０（ａ）を、左側壁２２および床２４に固定し、洗面台取付用部材３０（ｂ）を、右側壁２３および床２４に固定する。なお、上述のように、右側壁２３に固定用木桟６０を設置した場合は、横枠３３ｂを、皿木ネジ３７により第１木桟部材６１の横枠材６０ｂに取り付け固定する。
【００４３】
（洗面台の取付工程）
次に、洗面台１０を各壁２１，２２，２３に対して取り付ける工程を実行する。
この工程における洗面台本体１１の取付作業を説明すると、図１に示すように、まず、新規に取り付ける洗面台本体１１を、矢印Ｍの方向に移動させて、左右の洗面台取付用部材３０（ａ），３０（ｂ）の間に挿入する。そして、図３に示すように、洗面台本体１１の背板１１１ｃを背面壁２１に当接させる。
【００４４】
また、洗面台本体１１の左側板１１１ａを左側の洗面台取付用部材３０（ａ）に当接させる。この場合、洗面台本体１１の挿入時から左側の洗面台取付用部材３０（ａ）に寄せてもよいし、挿入後に左側の洗面台取付用部材３０（ａ）に当接させてもよい。
【００４５】
なお、上述のように洗面台取付用部材３０（ａ），３０（ｂ）の間に洗面台本体１１を挿入するため、洗面台取付用部材３０（ａ），３０（ｂ）の左右方向の間隔は、洗面台本体１１の左右方向の幅寸法よりも僅かに大きな寸法としている。よって、上記のように洗面台本体１１を左側の洗面台取付用部材３０（ａ）に当接させると洗面台本体１１の右側板１１１ｂと右側の洗面台取付用部材３０（ｂ）との間には、隙間（１〜２，３ｍｍ程度）が生じる。
【００４６】
次に、背板１１１ｃの内側から背板１１１ｃを貫通して背面壁２１にキャップ付きビス３９を締結し、洗面台本体１１を背面壁２１に固定する。また、キャップ付きビス３８を、左側板１１１ａの内側から左側板１１１ａを貫通して固定用枠部３４に締結し、洗面台本体１１を左側の洗面台取付用部材３０（ａ）の固定用枠部３４に固定する。
【００４７】
上述のようにして、洗面台本体１１を、背面壁２１に固定するとともに、左側の洗面台取付用部材３０（ａ）を介して左側壁２２に固定した後、洗面台本体１１と、右側の洗面台取付用部材３０（ｂ）との間に生じた隙間に、上方からスペーサ４０を挿入する。このスペーサ４０は、洗面台本体１１の前後方向では、図３に示すように、キャップ付きビス３８を締結する箇所（例えば、４箇所）に応じて挿入し、図２に示すように、上下方向では固定用枠部３４の高さまで差し込む。
【００４８】
次に、キャップ付きビス３８を、右側板１１１ｂの内側から右側板１１１ｂを貫通して固定用枠部３４に締結する。これにより、洗面台本体１１を、右側の洗面台取付用部材３０（ｂ）を介して右側壁２３に固定する。なお、洗面台本体１１と洗面台取付用部材３０（ｂ）との間にスペーサ４０を介在させることにより、両者の間に洗面台本体１１の挿入作業用の隙間を有していても、洗面台本体１１に歪みが生じることなく安定した姿勢で取り付けることができる。
【００４９】
上述のようにして、洗面台本体１１を壁２０に対して固定したら、次に、洗面台取付用部材３０の上側の横枠３３ｂの上面に、カウンタ材５１を接着する。このカウンタ材５１は、その表面のうち、上面、カウンタ１１２側の側面、前面にカウンタ１１２と同様の材質の化粧面を有し、カウンタ１１２と連続的な意匠が与えられる。
【００５０】
さらに、洗面台取付用部材３０の前面に、化粧下地材５２を接着する。なお、化粧下地材５２の表面には、壁２０の表面に貼られたクロスと同様の化粧材（クロス）が貼られており、壁２０と連続的な意匠が与えられる。
【００５１】
最後に、カウンタ１１２のバックガード部１１２ｂと背面壁２１との隙間、カウンタ材５１とカウンタ１１２との隙間、およびカウンタ材５１と左右側壁２２，２３との隙間にシーリング材７０を充填する。
以上で、洗面台本体１１の取り付けを終える。また、この洗面台本体１１の取り付け前後に、ミラー１２を背面壁２１に設置するが、その設置構造および設置方法は、本開示の要旨ではないので、説明は省略する。
【００５２】
（実施の形態１の効果）
以下に、実施の形態１の住宅設備取付構造の効果を列挙する。
１）実施の形態１の住宅設備取付構造は、
洗面台１０の洗面台本体１１の左右側面としての左側板１１１ａおよび右側板１１１ｂと、壁面としての左側壁２２および右側壁２３との間に、枠体３１を有する洗面台取付用部材３０が設けられ、
洗面台取付用部材３０が左側壁２２および右側壁２３に取り付けられ、
洗面台１０が、枠体３１に取り付けられていることを特徴とする。
したがって、洗面台１０の洗面台本体１１の左側板１１１ａおよび右側板１１１ｂを左側壁２２および右側壁２３に取り付けないものと比較して、洗面台１０の取付強度が向上する。これにより、必要な耐震強度を確保することも可能である。さらに、洗面台本体１１は、洗面台取付用部材３０に取り付けるため、既設の壁２０を加工することなく洗面台１０の取付が可能であり、リフォームに用いるのに有効である。
また、洗面台本体１１と、左側壁２２および右側壁２３との間に洗面台取付用部材３０に介在するため、洗面台本体１１と、左側壁２２および右側壁２３とが、離れていても洗面台本体１１を左側壁２２および右側壁２３に対して固定することができる。よって、洗面台本体１１の幅寸法が、左側壁２２と右側壁２３との間隔に制限されにくくなり、設置可能な洗面台１０の自由度が向上する。
【００５３】
２）実施の形態１の住宅設備取付構造は、
枠体３１は、矩形状の枠を形成する４方枠部３３を備え、
洗面台取付用部材３０は、枠体３１の枠内を塞ぐ固定用面材３２を備え、
固定用面材３２が、左右側壁２２，２３の横木桟２２ｃ，２３ｃに取り付けられていることを特徴とする。
左右側壁２２，２３の横木桟２２ｃ，２３ｃに対して、洗面台取付用部材３０の固定用面材３２を取り付けるため、枠部分を取り付けるのと比較して、取付位置の自由度が高い。これにより、壁面側に、洗面台取付用部材３０を取り付けるための構造材などの追加が不要であり、既設の壁２０を加工することなく、洗面台取付用部材３０の取付が可能であり、作業性に優れ、リフォームなどの既設の壁２０に取り付ける場合に有効である。すなわち、既設の壁の表面材を取り外して胴縁などの芯材を洗面台１０を固定するのに必要な位置に設置した後、表面材を取り外した壁を再構築して洗面台１０を取り付けるといった面倒な作業が不要である。
さらに、枠体３１は、４方枠部３３を備えるため、床２４に対する転がり方向の剛性を確保できる。そして、固定用面材３２により枠体３１の枠内を塞いで設けることにより、枠体３１の剛性を向上でき、これにより、洗面台１０の取付強度も向上できる。
【００５４】
３）実施の形態１の住宅設備取付構造は、
枠体３１は、４方枠部３３の対向する一対の縦枠３３ａ，３３ａを連結して設けられた固定用枠部３４を備え、この固定用枠部に洗面台１０の洗面台本体１１が取り付けられていることを特徴とする。
したがって、洗面台本体１１の取り付けに最適の位置に固定用枠部３４を配置することにより、左右側壁２２，２３における構造材の位置に関係なく、洗面台本体１１を最適位置に固定して取り付けることができる。これにより、壁２０側を加工することなく洗面台１０の取り付けが可能であり、リフォームなど既設の壁２０への設置に有効である。
さらに、固定用枠部３４が、４方枠部３３の一対の縦枠３３ａを連結することにより、洗面台取付用部材３０の剛性を向上でき、これにより、洗面台１０の取付強度も向上できる。
【００５５】
４）実施の形態１の住宅設備取付構造は、
枠体３１と洗面台１０の洗面台本体１１との間に、板状のスペーサ４０が介在されている
ことを特徴とする。
したがって、洗面台本体１１を設置する際に、洗面台取付用部材３０の枠体３１との間に隙間が生じていても、洗面台本体１１が歪むことなく、設置姿勢の安定化を図ることができる。
【００５６】
５）実施の形態１の住宅設備取付構造は、
枠体３１の表面に化粧下地材５２を有することを特徴とする。
したがって、化粧下地材５２に、洗面台１０や左右側壁２２，２３に応じた化粧材を設けることが可能であり、汎用性に優れるとともに、意匠性にも優れる。
【００５７】
６）実施の形態１の住宅設備取付構造は、
枠体３１の表面に化粧材としてのカウンタ材５１を有することを特徴とする。
したがって、化粧材としてのカウンタ材５１を用いることにより、意匠性を高めることができる。ここで、カウンタ材５１に、洗面台１０のカウンタ１１２に連続した意匠のものを用いることにより、さらに意匠性を高めることができる。あるいは、カウンタ材５１として、左右側壁２２，２３に応じた意匠のものを用いて、意匠性を高めることもできる。
【００５８】
７）実施の形態１の住宅設備取付構造は、
洗面台１０の洗面台本体１１設置箇所は、洗面台本体１１の背面に位置する背面壁２１と、洗面台本体１１の側方に対向する一対の側壁としての左側壁２２および右側壁２３とに囲まれ、
洗面台取付用部材３０は、左側壁２２および右側壁２３の少なくとも一方と洗面台本体１１との間に設けられていることを特徴とする。
したがって、洗面台１０の取付強度を確実に確保することができる。また、洗面台本体１１としては、左側壁２２と右側壁２３との間隔よりも狭い寸法であれば、どのような寸法のものも設置可能であり、設置自由度に優れる。
【００５９】
８）実施の形態１の洗面台取付用部材３０は、
矩形状の４方枠部３３を備えた枠体３１と、
４方枠部３３の枠内を塞いで設けられた固定用面材３２と、
枠体３１に含まれ、４方枠部３３の対向する一対の縦枠３３ａ，３３ａを連結して設けられた固定用枠部３４と、
枠体の表面を覆って設けられた化粧材としてのカウンタ材５１と、
を備えることを特徴とする。
したがって、４方枠部３３を備えるため、洗面台取付用部材３０の剛性を確保できる。また、４方枠部３３の枠内を塞いで固定用面材３２を備えるため、各側壁２２，２３の横木桟２２ｃ，２３ｃなどの構造材の位置に合わせて固定用面材３２を壁面に固定可能であり、作業性に優れるとともに、固定用面材３２により、枠体の剛性を向上できる。しかも、４方枠部３３の縦枠３３ａ，３３ａを連結して固定用枠部３４を備えるため、洗面台取付用部材３０の剛性をさらに向上可能である。さらに、カウンタ材５１を備えるため、洗面台取付用部材３０の意匠性を向上可能である。
【００６０】
９）実施の形態１の住宅設備取付方法は、
既設の壁２０の壁面としての左側壁２２および右側壁２３に、枠体３１を有する洗面台取付用部材３０を取り付ける工程と、
洗面台取付用部材３０の枠体３１に、洗面台本体１１を取り付ける工程と、
洗面台取付用部材３０の表面に、化粧材としてのカウンタ材５１あるいは化粧材を有した化粧下地材５２を取り付ける工程と、
を備えることを特徴とする。
したがって、洗面台本体１１の側面が、洗面台取付用部材３０を介して左右側壁２２，２３に取り付けられ、洗面台本体１１を左右側壁２２，２３に取り付けないものと比較して、洗面台本体１１の取付強度が向上する。さらに、既設の壁２０に洗面台取付用部材３０を介して洗面台１０を取り付けるため、既設の壁２０の加工が不要であり、リフォームに有効である。さらに、洗面台取付用部材３０は、カウンタ材５１あるいは化粧材を有した化粧下地材５２を有するため、意匠性に優れる。
【００６１】
１０）実施の形態１の住宅設備取付方法は、
洗面台取付用部材３０を取り付ける工程では、矩形状の４方枠部３３の枠内を塞いで設けられた固定用面材３２を、壁内の既設の横木桟２２ｃ，２３ｃに取り付け、
洗面台１０を取り付ける工程では、洗面台１０の洗面台本体１１を、４方枠部３３の対向する一対の縦枠３３ａ，３３ａを連結して設けられた固定用枠部３４に取り付けることを特徴とする。
したがって、両側壁２２，２３側の加工を不要とすることができ、作業性に優れ、リフォームに適用するのに有効である。また、洗面台１０を洗面台取付用部材３０の固定用枠部３４に取り付けるため、洗面台本体１１の取り付け位置が、両側壁２２，２３の既設の横木桟２２ｃ，２３ｃなどの位置に規制されることが無いため、作業性に優れ、リフォームに適用するのによりいっそう有効である。
【００６２】
１１）実施の形態１の住宅設備取付方法は、
洗面台取付用部材３０を壁面（右側壁２３）に取り付ける位置の壁内に横木桟２３ｃが存在しない場合に固定用木桟６０を設置する工程を備え、
この固定用木桟６０を設置する工程では、既設の右側壁２３からパネル材２３ａの一部２３ｄを切り離して、壁面に開口を形成する工程と、開口から右側壁２３の内部空間２３ｆに固定用木桟６０を設置する工程と、パネル材２３ａの一部２３ｄを、固定用木桟６０に取り付けて開口を表面材で塞ぐ工程と、を実行し、
洗面台取付用部材３０を壁面に取り付ける工程では、洗面台取付用部材３０を、固定用木桟６０に固定することを特徴とする。
したがって、壁内に横木桟２３ｃなどの構造材が無い場合でも、洗面台取付用部材３０を強固に取り付け可能であり、これにより洗面台１０の取付強度も確保することができる。また、リフォームの際には、種々の仕様の壁に洗面台取付用部材３０の設置を可能とすることができる。
【００６３】
（他の実施の形態）
次に、他の実施の形態について説明する。
なお、他の実施の形態の説明において、他の実施の形態と共通する構成には当該実施の形態と同じ符号を付して説明を省略し、当該実施の形態との相違点のみ説明する。
【００６４】
（実施の形態２）
以下に、実施の形態２の住宅設備固定構造を図６、図７、図８Ａ、図８Ｂに基づいて説明する。なお、図６は実施の形態２の住宅設備固定構造を示す縦断面図、図７は実施の形態２の住宅設備固定構造を示す横断面図、図８Ａは実施の形態２の住宅設備固定構造に適用した洗面台取付部材を示す斜視図、図８Ｂは実施の形態２の洗面台固定構造に適用した隙間充填部材を示す斜視図である。
この実施の形態２は、実施の形態１と同様に、住宅設備としては洗面台１０を用い、洗面台本体１１の左右方向の一方である右側のみに、洗面台取付用部材２３０を設けるとともに、洗面台本体１１の左側に、板状の隙間充填部材２００を設けた例である。
【００６５】
洗面台取付用部材２３０は、実施の形態１において示した洗面台取付用部材３０とは幅寸法が異なるのみであり、図８Ａに示すように、枠体２３１と固定用面材２３２とを備える。
枠体２３１は、４方枠部２３３と固定用枠部２３４とを備える。
４方枠部２３３は、一対の上下方向に延在された長板状の縦枠２３３ａ，２３３ａと、一対の水平方向に延在された長板状の横枠２３３ｂ，２３３ｂとの長手方向両端部を、スクリュウ釘３５ａなどの締結部材により結合されて、略長方形の枠状に形成されている。
【００６６】
固定用枠部２３４は、１枚の長板状の部材により形成され、上下方向で横枠２３３ｂ、２３３ｂの間の位置で水平方向に延在され、長手方向の両端部を縦枠２３３ａ，２３３ａに固定されている。
【００６７】
また、洗面台取付用部材２３０は、図６、図８Ａに示すように、固定用面材２３２を貫通して皿木ネジ３６を横木桟２３ｃに締結して、右側壁２３に固定されるとともに、横枠２３３ｂを貫通して床２４に皿木ネジ３７を締結して床２４に固定されている。
【００６８】
そして、洗面台取付用部材２３０の上面には、図６に示すように、カウンタ材２５１ｂが接着され、かつ、図７に示すように、洗面台取付用部材２３０の前面には、化粧下地材２５２ｂが接着されている。なお、化粧下地材２５２ｂの前面は、実施の形態１と同様に、クロス（布製、樹脂製、塩ビシート製など）などの化粧材により覆われている。
【００６９】
隙間充填部材２００は、図８Ｂに示すように、２枚の矩形の板材２００ａ，２００ａを重ねて形成されたもので、洗面台本体１１のキャビネット１１１の側面と略同一の面積に形成されている。そして、隙間充填部材２００は、キャップ付きビス３８を左側壁２２の横木桟２２ｃ，２２ｃに締結して（図６参照）左側壁２２に固定されている。
【００７０】
なお、隙間充填部材２００の上面には、図６に示すように、カウンタ材２５１ａが接着され、かつ、図７に示すように、隙間充填部材２００の前面には、化粧下地材２５２ａが接着されている。なお、化粧下地材２５２ａの前面は、実施の形態１と同様に、布製の化粧材により覆われている。
【００７１】
そして、洗面台本体１１は、実施の形態１と同様に、背板１１１ｃが、図７に示すように、背面壁２１にキャップ付きビス３９により固定されているとともに、右側板１１１ｂが洗面台取付用部材２３０の固定用枠部２３４にキャップ付きビス３８により固定されている。さらに、左側板１１１ａは、隙間充填部材２００にキャップ付きビス３８により固定されている。
なお、実施の形態１と同様に、洗面台本体１１と洗面台取付用部材２３０との間にはスペーサ４０が介在されている。
【００７２】
この実施の形態２における住宅設備取付方法は、基本的には実施の形態１と同様であるが、相違点として、左側の洗面台取付用部材３０（ａ）の左側壁２２への取付作業に代えて、隙間充填部材２００の取付作業を行う点を有する。
【００７３】
また、洗面台本体１１の取付時に、前後方向への移動時には、洗面台本体１１の左側面を隙間充填部材２００に沿わせて移動させた後、洗面台本体１１を背面壁２１に固定するとともに、隙間充填部材２００に固定させる。
【００７４】
その後、洗面台本体１１と洗面台取付用部材２３０との間にスペーサ４０を挿入した後、洗面台本体１１を洗面台取付用部材２３０に固定する点は、実施の形態１と同様である。
【００７５】
以上説明した実施の形態２の住宅設備取付構造にあっても、上記の１）〜１１）の効果を奏することが可能である。
【００７６】
以上、図面を参照して、本開示の実施の形態を詳述してきたが、具体的な構成は、この実施の形態又は実施例に限らず、本開示の要旨を逸脱しない程度の設計的変更は、本開示に含まれる。
例えば、実施の形態では、住宅設備として洗面台を示したが、これに限定されるものではなく、収納棚、キッチン設備、作り付け家具など、棚状や箱状の住宅設備にも適用できる。
また、実施の形態では、建物のリフォームの際に新規の住宅設備としての洗面台を設置する例を示したが、リフォーム以外の新規の建設に伴う洗面台などの住宅設備の設置にも適用することができる。
また、実施の形態では、住宅設備取付用部材としての洗面台取付用部材を側壁内の横木桟に取り付ける例を示したが、その取付対象は、横木桟に限定されるものではなく、間柱などの構造材に取り付けることも可能である。さらに、横木桟に取り付ける場合でも、実施の形態１で示したように１本の横木桟に取り付ける以外にも、複数の横木桟に取り付けてもよい。これにより、洗面台（住宅設備）の取付強度がさらに高まる。
また、実施の形態では、固定用枠部は、縦枠の間に１枚設けた例を示したが、これに限定されず、複数枚を並設してもよい。この場合、４方枠部の剛性をさらに向上することができるとともに、洗面台（住宅設備）の取り付け点数を増やして、洗面台の取付強度をさらに高めることが可能である。また、実施の形態では、枠体は４方枠を備えたものを示したが、枠体の構造としては、これに限定されるものではない。すなわち、枠体は、枠構造を有していればよく、例えば、王形状、十字形状、三角枠状など、少なくとも枠を１、あるいは複数備えたものであればよい。
さらに、実施の形態では、洗面台（住宅設備）の左右側面と背面との三面を、三壁面に対して固定した例を示したが、その洗面台（住宅設備）を取り付ける壁面の数は、これに限定されない。すなわち、洗面台（住宅設備）の側面と壁面との間に、枠体を有する洗面台取付用部材を介して取り付けた構造であれば、洗面台の左右側面を、左右側壁の二壁面に対して取り付けた構造や、洗面台の左右側面の一方と背面とを、背面壁と側壁との二壁面に取り付けた構造としてもよい。
本構造では、上記のように左右側壁の二壁面に対する固定でも、十分な取付強度を確保可能であるため、何らかの障害により住宅設備の背面を固定できない場合に、所望の取付強度（耐震強度を満足する取付強度など）を確保するのに有効な構造である。
【符号の説明】
【００７７】
１０   洗面台（住宅設備）
２０   壁
２１   背面壁
２２   左側壁
２３   右側壁
２３ａ パネル材（表面材）
２３ｄ 一部（表面材）
３０   洗面台取付用部材（住宅設備取付用部材）
３１   枠体
３２   固定用面材
３３   ４方枠部
３３ａ 縦枠
３４   固定用枠部
４０   スペーサ
６０   固定用木桟
２３０ 洗面台取付用部材（住宅設備取付用部材）
２３１ 枠体
２３２ 固定用面材
２３３ ４方枠部
２３３ａ      縦枠
２３４ 固定用枠部
２５１ａ      カウンタ材（化粧材）
２５１ｂ      カウンタ材（化粧材）
２５２ａ      化粧下地材
２５２ｂ      化粧下地材
【図１】
2018047077.tif 000003
【図２】
2018047077.tif 000004
【図３】
2018047077.tif 000005
【図４Ａ】
2018047077.tif 000006
【図４Ｂ】
2018047077.tif 000007
【図５Ａ】
2018047077.tif 000008
【図５Ｂ】
2018047077.tif 000009
【図６】
2018047077.tif 000010
【図７】
2018047077.tif 000011
【図８Ａ】
2018047077.tif 000012
【図８Ｂ】
2018047077.tif 000013